(57)【要約】【課題】故障が発生している小規模電気所を容易に特定する。【解決手段】電気所１Ａ，１Ｂには、遠制子局装置１０３および通信用情報伝送装置１０４が設置されている。一方、監視外設備には、遠制子局装置１０３および通信用情報伝送装置１０４のいずれも設けられていない。営業所において、光ケーブルを介して電気所１Ａ，１Ｂに繋がれる小容量光端局装置２０１は、「対局故障（ＳＥＮＤ）検出なし」に設定されている。対局故障（ＳＥＮＤ）とは、自局における故障ではなく、相手端において発生した何らかの故障のことである。一方、光ケーブルを介して監視外設備に接続される小容量光端局装置５０１は、「対局故障（ＳＥＮＤ）検出あり」に設定されている。小容量光端局装置２０１、５０１の各々は、種々の故障を検出し、少なくとも１つの故障を検出すると一括故障警報Ｓｂを出力する。【選択図】図１
2008109568.tif 000002
【特許請求の範囲】
【請求項１】
通信故障を監視する故障監視装置との間で情報を交換する故障情報伝送装置が設置された電気所において、当該電気所と他の設備とを繋ぐ光ケーブルに接続される小容量光端局装置であって、
前記電気所における情報の送受信に関する故障（自装置故障）と、前記光ケーブルを介して繋がれた他の設備における送受信に関する故障（対局故障）とを検知する故障検知部と、
前記故障検知部によって少なくとも１つの故障が検知されると、一括故障警報を前記故障情報伝送装置へ出力する一括故障警報出力部と、
前記故障検知部から前記一括故障警報出力部への前記対局故障についての検知結果の出力を遮断する遮断状態と、当該対局故障についての検出結果の出力を通過させる通過状態とを切換可能な検出結果切換部とを備え、
前記検知結果切換部は、前記他の設備に前記故障情報伝送装置が設けられている場合には遮断状態に設定され、前記他の設備に前記故障情報伝送装置が設けられていない場合には通過状態に設定される
ことを特徴とする小容量光端局装置。
【請求項２】
故障情報伝送装置との間で通信故障についての情報を交換する故障監視装置が設置された営業所において、当該営業所と他の設備とを繋ぐ光ケーブルに接続される小容量光端局装置であって、
前記営業所における情報の送受信に関する故障（自装置故障）と、前記光ケーブルを介して繋がれた他の設備における送受信に関する故障（対局故障）とを検知する故障検知部と、
前記故障検知部によって少なくとも１つの故障が検知されると、一括故障警報を前記故障監視装置へ出力する一括故障警報出力部と、
前記故障検知部から前記一括故障警報出力部への前記対局故障についての検知結果の出力を遮断する遮断状態と、当該対局故障についての検出結果の出力を通過させる通過状態とを切換可能な検出結果切換部とを備え、
前記検知結果切換部は、前記他の設備に前記故障情報伝送装置が設けられている場合には遮断状態に設定され、前記他の設備に前記故障情報伝送装置が設けられていない場合には通過状態に設定される
ことを特徴とする小容量光端局装置。
【発明の詳細な説明】
【技術分野】
【０００１】
この発明は、光ケーブルに接続される小容量光端局装置に関する。さらに詳しくは、遠方監視制御システムおよび通信監視システムが構築された光通信システムに採用される小容量光端局装置に関する。
【背景技術】
【０００２】
光通信ネットワークの整備に伴い、営業所と小規模電気所との間（または、小規模電気所と小規模電気所との間）は光ケーブルによって接続されて光通信システムを構築しており、営業所および小規模電気所には小容量光端局装置が採用されている。
【０００３】
図３のように、小規模電気所８Ａ，８Ｂと営業所９との間には、遠方監視制御システム（遠制システム）が構築されている。遠制システムでは、小規模電気所８Ａ，８Ｂ（詳しくは、遠制子局装置８０３）と営業所９に設けられた制御所９ｂ（詳しくは、遠制親局装置９０３）との間で遠方監視制御に関する情報（遠制情報）をやりとりすることによって、遠隔に設置された電力供給に関わる機器（例えば、変圧器や遮断器）を制御所９ｂから制御することができる。
【０００４】
図４のように、従来の小容量光端局装置８０１（または９０１）は、小規模電気所における情報の送受信に関する種々の故障を検知する機能を有しており、故障を検知すると、故障毎に故障警報を出力する。故障の種別としては、自装置送信系故障（ＴＸ，ＬＤ，ＰＬＯ），受信故障（ＲＸ，ＥＲＲ），対局故障（ＳＥＮＤ）がある。また、「装置の簡略化」，「コスト低減」，「適用される区間がローカルに限られる」等の小容量光端局装置に対する種々の理由から、これらの警報は、ａｎｄ，ｏｒ等の演算により１つにまとめられ、一括故障警報として１出力接点のみから装置外部へ出力される。
【０００５】
また、遠制システムでは、小規模電気所における故障の有無を営業所９に設けられた制御所９ｂにおいて把握するために、小容量光端局装置８０１から出力される一括故障警報Ｓｂが小規模電気所８Ａ，８Ｂから制御所９ｂへ伝送される。制御所９ｂでは、一括故障警報Ｓｂの受信の有無によって、各小規模電気所における故障の有無を把握している。
【０００６】
さらに、小規模電気所８Ａ，８Ｂと営業所９との間には、光ケーブルを保守・管理するための通信監視システムも構築されている。通信監視システムでは、小容量光端局装置８０１から出力される一括故障警報Ｓｂが小規模電気所８Ａ，８Ｂ（詳しくは、通信用情報伝送装置８０４）から営業所９に設けられた通信所９ａ（詳しくは、通信監視装置９０４）へ伝送されて、通信所９ａにおいて各小規模電気所における故障の有無が判断される。また、通信所９ａにおいて、各小規模電気所で故障が発生していると判断されると、作業員が、その一括故障警報Ｓｂを送信した小規模電気所へ出向してその小規模電気所に設置された種々の通信装置を点検・修理する。具体的には、小容量光端局装置８０１は、検知した故障の種類に応じて警報ランプが点灯するように構成されている。作業員は、この警告ランプを参照して、小規模電気所内でどのような通信故障が発生しているのかを判断する。
【０００７】
なお、切換スイッチ８０２は遠制子局装置８０３に接続される光ケーブルを切り替えるために設けられ、切換スイッチ９０２は遠制親局装置９０３に接続される光ケーブルを切り替えるために設けられている。
【０００８】
また、光端局装置についての文献としては特許文献１等が存在する。
【特許文献１】特開平８−９７７７４号公報
【発明の開示】
【発明が解決しようとする課題】
【０００９】
しかしながら、従来の小容量光端局装置は、種々の警報の各々について“出力させる”“出力させない”を設定可能にはなっておらず、対局故障（ＳＥＮＤ）についての警報を含めたすべての警報を一括故障警報として出力している。したがって、対局故障（ＳＥＮＤ）が検知された場合、小規模電気所８Ａ，８Ｂ（Ａ局，Ｂ局）の両方から一括故障警報が送信されるので、故障発生時には両方の設置箇所へ出向して状態確認をする必要がある。詳しく説明すると、対局故障（ＳＥＮＤ）とは、自局（例えば、Ａ局）における故障ではなく、相手端（Ｂ局）において発生した何らかの故障（例えば、受信故障（ＲＸ））のことである。例えば、Ｂ局側の受信が切れると、Ｂ局側で受信故障（ＲＸ）が検知されて一括故障警報が出力されるとともに、Ｂ局からＡ局にＳＥＮＤビットが送られる。これにより、Ａ局側において対局故障（ＳＥＮＤ）が検知されて一括故障警報が出力される。すなわち、Ａ局，Ｂ局の両方から一括故障警報が出力される。この場合、通信所では、Ａ局，Ｂ局のどちらで故障が発生しているのかを特定することができないので、作業員はＡ局，Ｂ局の両方に出向して小容量光端局装置の警報ランプを見て故障状態を判断する必要がある。
【００１０】
本発明は、故障が発生している設備の特定を容易にすることができる小容量光端局装置を提供することを目的とする。
【課題を解決するための手段】
【００１１】
この発明による小容量光端局装置は、通信故障を監視する故障監視装置との間で情報を交換する故障情報伝送装置が設置された電気所において、電気所と他の設備とを繋ぐ光ケーブルに接続される。小容量光端局装置は、上記電気所における情報の送受信に関する故障（自装置故障）と上記光ケーブルを介して繋がれた他の設備における送受信に関する故障（対局故障）とを検知する故障検知部と、上記故障検知部によって少なくとも１つの故障が検知されると一括故障警報を上記故障情報伝送装置へ出力する一括故障警報出力部と、上記故障検知部から上記一括故障警報出力部への上記対局故障についての検知結果の出力を遮断する遮断状態と対局故障についての検出結果の出力を通過させる通過状態とを切換可能な検出結果切換部とを備える。上記検知結果切換部は、上記他の設備に上記故障情報伝送装置が設けられている場合には遮断状態に設定され、上記他の設備に上記故障情報伝送装置が設けられていない場合には通過状態に設定される。
【００１２】
上記小容量光端局装置では、光ケーブルを介して対向する設備（対向装置）に故障情報伝送装置が設けられている場合、対局故障（ＳＥＮＤ）を検知しないので、１つの電気所において故障が発生しても、その故障が発生している電気所に隣接する電気所からはその故障に起因する一括故障警報が送信されない。したがって、故障が発生している電気所の特定を容易にすることができる。一方、対向装置に故障情報伝送装置が設けられていない場合には、対局故障（ＳＥＮＤ）を検知するので、対向装置の故障を監視することができる。
【００１３】
また、小容量光端局装置は、故障情報伝送装置との間で通信故障についての情報を交換する故障監視装置が設置された営業所において、営業所と他の設備とを繋ぐ光ケーブルに接続される。小容量光端局装置は、上記営業所における情報の送受信に関する故障（自装置故障）と上記光ケーブルを介して繋がれた他の設備における送受信に関する故障（対局故障）とを検知する故障検知部と、上記故障検知部によって少なくとも１つの故障が検知されると一括故障警報を上記故障監視装置へ出力する一括故障警報出力部と、上記故障検知部から上記一括故障警報出力部への上記対局故障についての検知結果の出力を遮断する遮断状態と対局故障についての検出結果の出力を通過させる通過状態とを切換可能な検出結果切換部とを備える。上記検知結果切換部は、上記他の設備に上記故障情報伝送装置が設けられている場合には遮断状態に設定され、上記他の設備に上記故障情報伝送装置が設けられていない場合には通過状態に設定される。
【発明の効果】
【００１４】
以上のように、故障が発生している電気所の特定を容易にすることができる。
【発明を実施するための最良の形態】
【００１５】
以下、この発明の実施の形態を図面を参照して詳しく説明する。なお、図中同一または相当部分には同一の符号を付しその説明は繰り返さない。
【００１６】
＜構成＞
図１は、この発明の実施形態による光通信システムの全体構成を示す。このシステムでは、営業所２と小規模電気所１Ａ，１Ｂと間で光ケーブルを介して種々の情報（遠制情報，故障警報）がやりとりされる。
【００１７】
小規模電気所１Ａ，１Ｂと営業所２に設けられた制御所２ｂとの間には、遠方監視制御システム（遠制システム）が構築されている。遠制システムでは、小規模電気所１Ａ，１Ｂと制御所２ｂとの間で、遠方監視制御に関する情報（遠制情報）がやりとりされることによって、小規模電気所付近に設けられた電力供給に関する機器（例えば、変圧器や遮断器）を制御所２ｂから遠方制御する。また、このシステムでは、小規模電気所における故障の有無に関する情報（一括故障警報Ｓｂ）が小規模電気所１Ａ，１Ｂから制御所２ｂへ伝送され、制御所２ｂにおいて各小規模電気所における故障の有無を把握することができる。
【００１８】
さらに、小規模電気所１Ａ，１Ｂと営業所２に設けられた通信所２ａとの間には、通信監視システムが構築されている。通信監視システムでは、一括故障警報Ｓｂが小規模電気所１Ａ，１Ｂから通信所２ａへ伝送され、通信所２ａにおいて各小規模電気所における故障の有無を把握することができる。
【００１９】
〔小規模電気所〕
小規模電気所１Ａ，１Ｂ（Ａ局，Ｂ局）の各々には、２つの小容量光端局装置１０１と、切換スイッチ１０２と、遠制子局装置１０３と、通信用情報伝送装置１０４とが設けられている。
【００２０】
小容量光端局装置１０１の各々は、小規模電気所における情報の送受信に関する種々の故障を検知する機能を有しており、故障を検知すると、故障毎に故障警報を出力する。また、小容量光端局装置１０１は、種々の故障のうち少なくとも１つを検知すると、一括故障警報Ｓｂを出力する。なお、小規模電気所に設けられた小容量光端局装置１０１は、「ＳＥＮＤ検出なし」に設定されている。
【００２１】
切換スイッチ１０２は、遠制子局装置１０３に接続される光ケーブルを切り替える。
【００２２】
遠制子局装置１０３は、切換スイッチ１０２によって自己に接続された光ケーブルを介して遠制情報を送受信する。遠制子局装置１０３は、受信した遠制情報に従って、機器（例えば、変圧器や遮断器）を制御する。また、遠制子局装置１０３は、小容量光端局装置１０１から出力された一括故障警報Ｓｂを受け取り、一括故障警報Ｓｂを営業所２へ送信する。
【００２３】
通信用情報伝送装置１０４は、小容量光端局装置１０１から出力された一括故障警報Ｓｂを受け取り、一括故障警報Ｓｂを営業所２へ送信する。
【００２４】
〔監視外設備（お客さま等設備）〕
監視外設備（お客さま設備等）には、遠制子局装置１０３および通信用情報伝送装置１０４のいずれも設けられていないが、小容量光端局装置６０１が設けられている。小容量光端局装置６０１は、小容量光端局装置１０１と同様の構成であり、「ＳＥＮＤ検出なし」に設定されている。
【００２５】
〔営業所〕
営業所２には、制御所２ｂと、通信所２ａとが設けられている。また、営業所２には、小容量光端局装置２０１，５０１が設置されている。小容量光端局装置２０１，５０１は、小容量光端局装置１０１と同様の構成であり、小容量光端局装置２０１は「ＳＥＮＤ検出なし」に設定され、小容量光端局装置５０１は「ＳＥＮＤ検出あり」に設定されている。
【００２６】
制御所２ｂには、切換スイッチ２０２と、遠制親局装置２０３とが設置されている。切換スイッチ２０２は、遠制親局装置２０３に接続される光ケーブルを切り替える。遠制親局装置２０３は、切換スイッチ２０２によって自己に接続された光ケーブルを介して遠制情報を送受信する。また、遠制親局装置２０３は切換スイッチ２０２によって自己に接続された光ケーブルを介して一括故障警報Ｓｂを受信する。さらに、遠制親局装置２０３は、小容量光端局装置２０１，５０１からの一括故障警報Ｓｂを受け取る。
【００２７】
通信所２ａには、通信監視装置２０４が設置されている。通信監視装置２０４は、光ケーブルを介して一括故障警報Ｓｂを受信する。また、通信監視装置２０４は、小容量光端局装置２０１，５０１からの一括故障警報Ｓｂを受け取る。
【００２８】
遠制子局装置１０３から遠制親局装置２０３へ（または、通信用情報伝送装置１０４から通信監視装置２０４へ）伝送される一括故障警報には、その一括故障警報がどの遠制子局装置（または、通信用情報伝送装置）から送信されたのかを識別するための情報（例えば、各々の遠制子局装置に与えられる識別コード）が付与されている。これにより、遠制親局装置２０３（または、通信監視装置２０４）は、一括故障警報の発信元を識別することができる。
【００２９】
＜小容量光端局装置の内部構成＞
図２は、図１に示した小容量光端局装置の内部構成を示す。小容量光端局装置１０１，２０１，５０１，６０１は、故障検知部１１１と、一括故障警報出力部１１２と、スイッチ（検出結果切換部）１１３とを含む。
【００３０】
故障検知部１１１は、小規模電気所における情報の送受信に関する種々の故障を検知すると、検知した故障毎に故障警報を出力する。故障の種別としては、自装置送信系故障（ＴＸ，ＬＤ，ＰＬＯ），受信故障（ＲＸ，ＥＲＲ），対局故障（ＳＥＮＤ）がある。故障ＴＸは送信側の故障を示し、故障ＬＤは過電流を示し、故障ＰＬＯはクロック系の故障を示し、故障ＲＸは受信側の故障を示し、故障ＥＲＲはビットエラーを示す。対局故障ＳＥＮＤは、自局（例えば、Ａ局）における故障ではなく、相手端（Ｂ局）において発生した何らかの故障（例えば、受信故障（ＲＸ））を示す。故障検知部１１１は、種々の故障（ＴＸ，ＬＤ，ＰＬＯ，ＲＸ，ＥＲＲ，ＳＥＮＤ）を検知して、その検知した故障に応じた故障警報（ＳＴＸ，ＳＬＤ，ＳＰＬＯ，ＳＲＸ，ＳＥＲＲ，ＳＳＥＮＤ）を出力する。例えば、故障検知部１１１は、故障ＴＸを検知すると、故障警報ＳＴＸを出力する。
【００３１】
一括故障警報出力部１１２は、故障検知部１１１からの故障警報ＳＴＸ，ＳＬＤ，ＳＰＬＯ，ＳＲＸ，ＳＥＲＲ，ＳＳＥＮＤのうち少なくとも１つを受けると、一括故障警報Ｓｂを出力する。
【００３２】
スイッチ１１３は、故障検知部１１１から一括故障警報出力部１１２への故障警報ＳＳＥＮＤの出力を接続／遮断する。「ＳＥＮＤ検出なし」に設定されている場合、スイッチ１１３はオフになり、故障警告ＳＳＥＮＤは一括故障警報出力部１１２へ出力されない。「ＳＥＮＤ検出あり」に設定されている場合、スイッチ１１３はオンになり、故障警告ＳＳＥＮＤが一括故障警報出力部１１２へ出力される。
【００３３】
また、一括故障警報出力部１１２からの一括故障警報Ｓｂは、遠制子局装置１０３および通信用情報伝送装置１０４（または、遠制親局装置２０３および通信監視装置２０４）へ出力される。
【００３４】
＜動作＞
次に、図１に示した遠制システムによる動作について説明する。
【００３５】
まず、小規模電気所Ａ（Ａ局）において通信故障が発生したとする。このとき、Ａ局に設置された小容量光端局装置１０１は、一括故障警報Ｓｂを遠制子局装置１０３および通信用情報伝送装置１０４へ出力する。
【００３６】
次に、通信用情報伝送装置１０４は、光ケーブルを介して一括故障警報Ｓｂを通信監視装置２０４へ伝送する。通信監視装置２０４は、光ケーブルを介して一括故障警報Ｓｂを受信すると、Ａ局に通信故障が発生した旨を作業員に通知する。例えば、通信監視装置２０４には警告ランプが設けられており、一括故障警報Ｓｂを受信するとその警告ランプが点灯する。このようにして、通信所２ａの作業員は、各小規模電気所における故障の有無を知ることができる。
【００３７】
一方、遠制子局装置１０３は、光ケーブルを介して一括故障警報Ｓｂを遠制親局装置２０３へ送信する。遠制親局装置２０３は、光ケーブルを介して一括故障警報Ｓｂを受信すると、Ａ局に通信故障が発生した旨を監視員に通知する。このようにして、制御所２ｂの作業員は、各小規模電気所における故障の有無を知ることができる。
【００３８】
また、監視外設備（お客さま等設備）において故障が発生すると、小容量光端局装置５０１は、小容量光端局装置６０１からのＳＥＮＤビットを受信し、一括故障警報Ｓｂを遠制親局装置２０３および通信監視装置２０４へ出力する。これにより、通信所２ａおよび制御所２ｂの各々において故障の有無を知ることができる。
【００３９】
＜効果＞
以上のように、対向装置の故障を検出することができる小規模電気所（通信用情報伝送装置が設置された小規模電気所）では、小容量光端局装置は対局故障（ＳＥＮＤ）を検知しないので、１つの小規模電気所において故障が発生しても、隣接する小規模電気所からその故障に起因する一括故障警報が送信されない。したがって、故障が発生している小規模電気所の特定を容易にすることができる。一方、通信用情報伝送装置が設置されていない設備に対向する小容量光端局装置は対局故障（ＳＥＮＤ）を検出するので、対向装置における故障を監視することができる。
【産業上の利用可能性】
【００４０】
以上説明したように、本発明は、遠方監視制御システムおよび通信監視システムが構築された光通信システムに採用される小容量光端局装置等として有用である。
【図面の簡単な説明】
【００４１】
【図１】この発明の実施形態による光通信システムの全体構成を示す図である。
【図２】図１に示した小容量光端局装置の内部構成を示すブロック図である。
【図３】従来の光通信システムの全体構成を示す図である。
【図４】従来の小容量光端局装置について説明するための図である。
【符号の説明】
【００４２】
１Ａ，１Ｂ    小規模電気所
２    営業所
２ａ    通信所
２ｂ    制御所
１０１，２０１，５０１，６０１    小容量光端局装置
１０２，２０２    切換スイッチ
１０３    遠制子局装置
１０４    通信用情報伝送装置
２０３    遠制親局装置
２０４    通信監視装置
１１１    故障検知部
１１２    一括故障警報出力部
１１３    スイッチ
【図１】
2008109568.tif 000003
【図２】
2008109568.tif 000004
【図３】
2008109568.tif 000005
【図４】
2008109568.tif 000006